(57)【要約】【課題】導電性両面テープ及びフロントカバーの絶縁層を一部剥離する作業を必要とすることなく、低コストでフロントリングとフロントカバーとを電気的に接続してフロントリングの電位を接地電位に降下させることができる撮像装置を提供する。【解決手段】撮像装置は、絶縁層が設けられた金属製のフロントカバー１０１と、前記絶縁層に非導電性の両面テープ２０２を介して取り付けられる導電性部材であるフロントリング１０４と、フロントカバー１０１に電気的に接続された状態で取り付けられて、フロントカバー１０１を介してＧＮＤに電気的に接続される締結部材２０３と、を備える。締結部材２０３は、フロントカバー１０１の挿通孔１０１Ｂ及び両面テープ２０２の切欠き部２０２Ａを挿通して、フロントリング１０４に電気的に接触する延設部２０３Ｂを有する。【選択図】図４
2011145335.tif 000002
【特許請求の範囲】
【請求項１】
絶縁層が設けられた金属製の外装カバーと、該外装カバーの前記絶縁層に取り付けられる導電性部材と、機器の内部に配置されて、グランドに電気的に接続される締結部材と、を備え、前記締結部材は、前記導電性部材に対して電気的に接触する接触部を有する、ことを特徴とする電子機器。
【請求項２】
前記締結部材は、前記外装カバーに電気的に接続された状態で取り付けられて、前記外装カバーを介して前記グランドに電気的に接続される、ことを特徴とする請求項１に記載の電子機器。
【請求項３】
前記外装カバーの前記導電性部材が取り付けられる面に、前記接触部が挿通可能な挿通孔が設けられる、ことを特徴とする請求項１又は２に記載の電子機器。
【請求項４】
前記導電性部材は、前記挿通孔を覆うように前記外装カバーに取り付けられる、ことを特徴とする請求項３に記載の電子機器。
【請求項５】
前記導電性部材は、非導電性の両面テープを介して前記外装カバーに取り付けられる、ことを特徴とする請求項１乃至４のいずれか一項に記載の電子機器。
【発明の詳細な説明】
【技術分野】
【０００１】
本発明は、金属製の外装カバーに導電性部材が取り付けられるデジタルカメラ等の電子機器に関する。
【背景技術】
【０００２】
従来のこの種の電子機器では、金属製の外装カバーの表面に、防錆機能、耐久性及び信頼性の確保のために塗装やアルマイト処理が施され、また、外観のデザイン性の向上のためにメッキ処理された樹脂部材や金属部材等の導電性部材が貼り付けられるものがある。
【０００３】
この場合、金属製の外装カバーは、塗装やアルマイト処理によって表面に絶縁層が形成されるため、そのままの状態で導電性部材を貼り付けても、外装カバーと導電性部材とを電気的に接続することはできない。
【０００４】
外装カバーと導電性部材とが電気的に接続されていないと、指等の接触により生じる静電気や、導電性部材がアンテナとして機能することで周囲からノイズを拾い易くなり、このノイズにより発生した電流が外装カバー内の電子部品に悪影響を与えるおそれがある。
【０００５】
そこで、金属製の外装カバーの絶縁層の一部を剥離して表面を露出させ、該露出面に貼り付けた導電性両面テープを介して導電性部材を外装カバーに固定する技術が提案されている（特許文献１）。
【０００６】
この提案では、導電性部材を、導電性両面テープ及び金属製の外装カバーを介して機器内のメインＧＮＤ（グランド）と電気的に接続することにより、導電性部材の電位を接地電位に降下させるようにしている。
【先行技術文献】
【特許文献】
【０００７】
【特許文献１】特開２００８−１３４３４９号公報
【発明の概要】
【発明が解決しようとする課題】
【０００８】
しかし、上記特許文献１では、導電性両面テープが必要となるばかりか、金属製の外装カバーの絶縁層を一部剥離する作業及び剥離面に導電性両面テープを貼り付ける作業が必要となり、電子機器の低コスト化を妨げる原因になる。
【０００９】
そこで、本発明は、導電性両面テープ及び金属製の外装カバーの絶縁層を一部剥離する作業を必要とすることなく、低コストで導電性部材と外装カバーとを電気的に接続して導電性部材の電位を接地電位に降下させることができる仕組みを提供することを目的とする。
【課題を解決するための手段】
【００１０】
上記目的を達成するために、本発明の電子機器は、絶縁層が設けられた金属製の外装カバーと、該外装カバーの前記絶縁層に取り付けられる導電性部材と、機器の内部に配置されて、グランドに電気的に接続される締結部材と、を備え、前記締結部材は、前記導電性部材に対して電気的に接触する接触部を有する、ことを特徴とする。
【発明の効果】
【００１１】
本発明によれば、導電性両面テープ及び金属製の外装カバーの絶縁層を一部剥離する作業を必要とすることなく、低コストで外装カバーと導電性部材とを電気的に接続して導電性部材の電位を接地電位に降下させることができる。
【図面の簡単な説明】
【００１２】
【図１】本発明の電子機器の実施形態の一例に係るデジタルカメラを正面側から見た斜視図である。
【図２】デジタルカメラの正面側の部材の分解斜視図である。
【図３】図２を背面側から見た分解斜視図である。
【図４】図１のＡ−Ａ線の要部断面図である。
【発明を実施するための形態】
【００１３】
以下、本発明の実施形態の一例を図面を参照して説明する。
【００１４】
図１は、本発明の電子機器の実施形態の一例に係るデジタルカメラを正面側から見た斜視図である。
【００１５】
図１に示すように、本実施形態のデジタルカメラ１００は、正面側にストロボ１０７及びレンズユニット１０６等が配置され、背面側に不図示のＬＣＤ等の表示部が配置されている。
【００１６】
デジタルカメラ１００の正面側及び背面側には、それぞれアルミニウム製のフロントカバー１０１及びリアカバー１０２が配置され、図１の左側部のフロントカバー１０１とリアカバー１０２との間には、樹脂製のサイドカバー１０３が介装されている。ここで、フロントカバー１０１は、本発明の外装カバーの一例に相当する。
【００１７】
フロントカバー１０１及びリアカバー１０２は、アルマイト処理によって外面および内面に絶縁層の一例であるアルマイト層が形成されている。このように、アルマイト処理を行うことで、フロントカバー１０１及びリアカバー１０２に防錆機能および絶縁機能を持たせることができるとともに、着色を行うこともできる。
【００１８】
フロントカバー１０１とリアカバー１０２は、アルマイト層の一部を剥離させ、デジタルカメラ１００の内部に配置されたメインＧＮＤ（グランド）である不図示のメインシャーシとビス等により締結することによって電気的に接続されている。これにより、フロントカバー１０１とリアカバー１０２の電位を接地電位に降下させた状態にしている。
【００１９】
図２はデジタルカメラ１００の正面側の部材の分解斜視図、図３は図２を背面側から見た分解斜視図である。
【００２０】
図２に示すように、フロントカバー１０１のレンズユニット１０６が配置される開口１０６ａの周囲には、環状凹部１０１Ａが形成され、該環状凹部１０１Ａには、非導電性の環状の両面テープ２０２を介してフロントリング１０４が貼り付けられている。
【００２１】
フロントリング１０４は、デジタルカメラ１００の外観のデザイン性を高めるために設けられ、ステンレス鋼で形成されて、表面仕上げによって光沢を有している。ここで、フロントリング１０４は、本発明の導電性部材の一例に相当する。
【００２２】
図２及び図３において、フロントカバー１０１の背面側には、締結部材２０３、締結板金２０４及びモールド製のインナー前カバー２０５が配置されている。
【００２３】
締結部材２０３は、フロントカバー１０１をリアカバー１０２に固定する為のフッキング部２０３Ａを有する金属製の板材であり、穴部２０３Ｃがフロントカバー１０１の凸部１０１Ｃに嵌め込まれて位置決めされる。
【００２４】
また、締結部材２０３は、穴部２０３Ｃがフロントカバー１０１の凸部１０１Ｃに嵌め込まれた状態で、凸部１０１Ｃが加締めることで位置決め固定される。これにより、締結部材２０３は、加締め部を介してフロントカバー１０１、ひいてはメインＧＮＤである不図示のメインシャーシと電気的に接続される。
【００２５】
さらに、締結部材２０３には、フロントリング１０４に接触して電気的に接続するための延設部２０３Ｂが設けられている。フロントカバー１０１の環状凹部１０１Ａには、延設部２０３Ｂが挿通可能な挿通孔１０１Ｂが設けられ、両面テープ２０２の外周部には、延設部２０３Ｂが挿通可能な切欠き部２０２Ａが設けられている。ここで、延設部２０３Ｂは、本発明の接触部の一例に相当する。
【００２６】
一方、締結板金２０４は、フロントカバー１０１をサイドカバー１０３にビス等により締結するための金属製の板材であり、穴部２０４Ｂがインナー前カバー２０５の凸部２０５Ａに嵌め込まれることで位置決めされる。また、インナー前カバー２０５は、凸部２０５Ｂがフロントカバー１０１の環状凹部１０１Ａに設けられた穴部１０１Ｄに嵌め込まれることで位置決めされる。
【００２７】
締結板金２０４は、インナー前カバー２０５を不図示の両面テープや接着剤等により固定することにより、フロントカバー１０１とインナー前カバー２０５との間に挟持された状態で固定される。また、締結板金２０４には、サイドカバー１０３に設けられた不図示の穴部から挿入されたビス等が締結されるねじ穴２０４Ａが設けられている。ねじ穴２０４Ａにビス等を締結することにより、フロントカバー１０１が締結板金２０４を介してサイドカバー１０３に固定される。
【００２８】
図４は、図１のＡ−Ａ線の要部断面図である。図４に示すように、締結部材２０３の延設部２０３Ｂは、フロントカバー１０１の環状凹部１０１Ａに設けられた挿通孔１０１Ｂと両面テープ２０２に設けられた切欠き部２０２Ａを挿通して、フロントリング１０４に接触している。
【００２９】
これにより、フロントリング１０４は、締結部材２０３及びフロントカバー１０１を介してメインＧＮＤである不図示のメインシャーシと電気的に接続されて、接地電位に降下した状態になる。
【００３０】
なお、フロントカバー１０１の環状凹部１０１Ａに設けられた挿通孔１０１Ｂと穴部１０１Ｄは、フロントリング１０４が環状凹部１０１Ａに貼り付けられることにより、該フロントリング１０４により覆われて外部から見えない状態になる。
【００３１】
以上説明したように、本実施形態では、ステンレス鋼製のフロントリング１０４を絶縁層の一部の剥離作業や導電性両面テープを必要とすることなく、締結部材２０３とフロントカバー１０１を介して低コストでメインＧＮＤに電気的に接続することができる。このため、デジタルカメラ１００の低コスト化を図ることができる。
【００３２】
なお、本発明の構成は、上記実施形態に例示したものに限定されるものではなく、材質、形状、寸法、形態、数、配置箇所等は、本発明の要旨を逸脱しない範囲において適宜変更可能である。
【００３３】
例えば、上記実施形態では、電子機器としてデジタルカメラを例示したが、デジタルカメラ以外の撮像装置やその他の電子機器に本発明を適用しても上記同様の効果を得ることができる。
【００３４】
また、上記実施形態では、フロントカバー１０１をメインＧＮＤに電気的に接続した場合を例示したが、締結部材２０３をメインＧＮＤに電気的に直接接続してもよい。
【符号の説明】
【００３５】
１００    デジタルカメラ
１０１    フロントカバー
１０１Ｂ  挿通孔
１０４    フロントリング
２０３    締結部材
２０３Ｂ  延設部
【図１】
2011145335.tif 000003
【図２】
2011145335.tif 000004
【図３】
2011145335.tif 000005
【図４】
2011145335.tif 000006